(57)【要約】【課題】ファンの風切り音の強弱を目立たないように均一化することができる空気調和機を提供すること。【解決手段】ファンと、前記ファンを支持するファン支持部材と、弧状部材とを備え、  前記ファンは、羽根部を有し、  前記弧状部材は、前記羽根部が径方向において前記ファン支持部材と最も近接する近接部分の回転軌道と同心の弧を含む形状に形成され、  前記羽根部の前記近接部分と前記弧状部材との間隔が、略等しく設定されることを特徴とする空気調和機。【選択図】図２
2019078453.tif 000002
【特許請求の範囲】
【請求項１】
ファンと、前記ファンを支持するファン支持部材と、弧状部材とを備え、
前記ファンは、羽根部を有し、
前記弧状部材は、前記羽根部が径方向において前記ファン支持部材と最も近接する近接部分の回転軌道と同心の弧を含む形状に形成され、
前記羽根部の前記近接部分と前記弧状部材との間隔が、略等しく設定されることを特徴とする空気調和機。
【請求項２】
前記弧状部材が、前記ファン支持部材に取り付けられる請求項１に記載の空気調和機。
【請求項３】
前記弧状部材が前記羽根部の回転方向に切れ目のない円環状に形成された請求項１または２に記載の空気調和機。
【請求項４】
前記弧状部材が半円環状に形成され、一対の半円環状の前記弧状部材がそれぞれ前記回転軌道と同心でありかつ互いに両端部を対向するように配置される請求項１または２に記載の空気調和機。
【請求項５】
前記弧状部材が半円未満の円弧状に形成され、一対の円弧状の前記弧状部材がそれぞれ前記回転軌道と同心でありかつ互いに両端部を対向するように配置される請求項１または２に記載の空気調和機。
【請求項６】
前記ファン支持部材が、対向する前記一対の円弧状の弧状部材の間に配置される前記回転軌道と同心の弧状部分を有する請求項５に記載の空気調和機。
【請求項７】
前記ファンは、前記軸を中心に対称に配置された二枚の羽根部と、前記二枚の羽根部を連結して前記軸に固定される連結部とを有するプロペラを含んでなり、
前記羽根部は前記近接部分に鋭角な先端部を有する請求項１〜６のいずれか１つに記載の空気調和機。
【発明の詳細な説明】
【技術分野】
【０００１】
本発明は、空気調和機に関する。
【背景技術】
【０００２】
従来の分離型の空気調和機の室外機として、圧縮機、熱交換器およびファンを内部に収納する筐体と、ファンを水平軸心廻りに回転可能に支持するよう筐体内に立設されたファン取付板とを備えた室外機が提案されている（例えば、特許文献１）。
【先行技術文献】
【特許文献】
【０００３】
【特許文献１】特開２０１０−１４４９９０号公報
【発明の概要】
【発明が解決しようとする課題】
【０００４】
ファンの羽根部が回転することにより生じる風切り音は、羽根部がファン支持板の前を通過する際に音の強弱が生じている。室外機が設置された近隣の住民の中には風切り音（パタパタ音）が耳障りに感じられる人がいる。特に、二枚羽根のように隣接する羽根部間のピッチが広くなると風切り音が目立つ傾向にある。
【０００５】
本発明は、このような課題に鑑みなされたものであり、ファンの風切り音の強弱を目立たないようにすることができる空気調和機を提供することを目的とする。
【課題を解決するための手段】
【０００６】
かくして、本発明によれば、ファンと、前記ファンを支持するファン支持部材と、弧状部材とを備え、
前記ファンは、羽根部を有し、
前記弧状部材は、前記羽根部が径方向において前記ファン支持部材と最も近接する近接部分の回転軌道と同心の弧を含む形状に形成され、
前記羽根部の前記近接部分と前記弧状部材との間隔が、略等しく設定される空気調和機が提供される。
【発明の効果】
【０００７】
風切り音の発生を抑制することが可能となる。
【図面の簡単な説明】
【０００８】
【図１】本発明の空気調和機の室外機（実施形態１）の内部構成を説明する分解図である。
【図２】実施形態１の室外機の前パネルを取り外した状態を示す正面図である。
【図３】実施形態１の室外機のファンのプロペラを取り外した状態を示す正面図である。
【図４】実施形態１におけるファン支持部材に取り付けられた弧状部材とファンの位置関係を説明する説明図である。
【図５】実施形態２の室外機のファンのプロペラを取り外した状態を示す正面図である。
【図６】実施形態３の室外機のファンのプロペラを取り外した状態を示す正面図である。
【図７】実施形態４の室外機のファンのプロペラを取り外した状態を示す正面図である。
【発明を実施するための形態】
【０００９】
（実施形態１）
室内熱交換器を有する室内機と室外熱交換器を有する室外機とからなるセパレート型空気調和機を用いて説明する。
図１は本発明の空気調和機の室外機（実施形態１）の内部構成を説明する分解図であり、図２は実施形態１の室外機の前パネルを取り外した状態を示す正面図である。また、図３は実施形態１の室外機のファンのプロペラを取り外した状態を示す正面図であり、図４は実施形態１におけるファン支持部材に取り付けられた弧状部材とファンの位置関係を説明する説明図である。
【００１０】
＜室外機の全体構成＞
実施形態１の空気調和機の室外機１は、図１〜図３に示すように、直方体形の筐体１０と、筐体１０内に収納された熱交換器（室外熱交換器）２０、ファン３０、圧縮機４０、配管部５０およびケース（電装ボックス）にて覆われた回路基板６０と、ファン３０を支持するファン支持部材（モータアングル）７０と、ファン支持部材７０に取り付けられた弧状部材８０と、筐体１０の一側面に取付部材９０を介して取り付けられた二方弁９１および三方弁９２とを主たる構成要素として備える。
【００１１】
筐体１０は、底板１１、左右の側板１２、１３、前板１４および天板１６を有し、これらがビスにて連結して組み立てられる。
筐体１０の一側面を構成する右側板１３には、取付部材９０を取り付ける開口部が設けられると共に、樹脂製のカバー部材（バルブカバー）９３が取り付けられる。
【００１２】
前板１４には、円形の排気口１４ａが設けられると共に、吹出口１４ａに円形のファンガード１４ｂが取り付けられている。
熱交換器２０は、筐体１０の左側板１２と右側板１３の内面に沿うように底板１１にて支持されると共に、配管部５０と接続されている。
なお、筐体１０において、格子状の吸気口を有する後板が設けられてもよい。
【００１３】
また、筐体１０内には、送風機３０を収納する左側スペースと配管部５０を収納する右側スペースとを遮蔽する遮蔽板１７が底板１１にて支持されるよう設けられている。左側スペースにおける左右の略中間位置にかつ熱交換器２０に沿ってファン支持部材（モータアングル）７０が底板１１にて支持されるよう設けられ、電装ボックス（回路基板６０）を水平状に支持する支持板１９がファン支持部材７０にて支持されるよう設けられている。
【００１４】
ファン３０は、ファン支持部材７０の中間部に固定されたモータ３０ａと、モータ３０ａの出力軸３０ａ1に固定された２枚羽根形のプロペラファン３０ｂとを有する。本実施の形態では、モータ３０ａによってプロペラファン３０ｂが、室外機を正面（前板１４側）から見た場合、反時計回り（矢印Ａ方向、図２参照）に回転する。なお、プロペラファン３０ｂは、例えば、ガラス繊維強化プラスチック（AS-GF）にて形成されている。
【００１５】
プロペラファン３０ｂは、出力軸３０ａ1を中心に対称に配置された二枚の羽根部３０ｂ1と、二枚の羽根部３０ｂ1を連結して出力軸３０ａ1に固定される連結部３０ｂ2とを有する。
羽根部３０ｂ1は、径方向の外縁部が概ね円弧状に形成されており、その外縁部における回転方向側の端部は後方（ファン支持部材７０側）へ湾曲した鋭角な先端部３０ｂ11となっており、この先端部３０ｂ11が羽根部３０ｂ1の径方向におけるファン支持部材７０と最も近接する近接部分となっている。
【００１６】
配管部５０は、膨張弁またはキャピラリーチューブまたはその両方を有しかつ熱交換器２０と二方弁９１とを接続する液体冷媒配管部と、四方弁を有しかつ熱交換器２０および三方弁９２を前記四方弁を介して圧縮機４０に接続する気体冷媒配管部とを備える。
なお、第二方弁９１および三方弁９２は、冷媒を流通させる渡り配管としての図示しない第１配管および第２配管を介して室内機の室内熱交換器（不図示）と接続される。
すなわち、圧縮機、四方弁、室外熱交換器、膨張機構（膨張弁、キャピラリーチューブ）、二方弁、第１配管、室内熱交換器、第２配管、三方弁にて冷凍サイクルが形成されている。
【００１７】
空気調和機の運転時、室外機１においては、圧縮機４０の駆動により冷媒が循環して熱サイクル（冷凍サイクル）が運転される。この際、ファン３０を駆動することにより熱交換器２０の周囲に気流が生じ、回転するプロペラファン３０ｂの吸引力によって外気が吸込され、熱交換器２０を通過して筐体１０内に流入する。熱交換器２０を通過した外気は熱交換されて吹出口１４ａから外部に吹き出される。
【００１８】
また、冷媒が図示しない第１配管と第２配管を介して室外機１と図外の室内機との間を循環し、室外機１の二方弁９１および三方弁９２のうちの一方には高温の冷媒が流れ、他方には低温の冷媒が流れる。具体的には、空気調和機の通常の冷房運転時には、圧縮機から吐出された高温高圧の気体冷媒は、四方弁を介して、室外熱交換器に流入する。室外熱交換器にて放熱し、中温高圧の液冷媒となり、膨張弁にて、低温低圧の液冷媒となる。二方弁９１に低温低圧の液冷媒が流れ、第１配管を通って、室内熱交換器に流入する。室内熱交換器にて吸熱し中温（通常、室内熱交換器に流入する液冷媒よりも高温）低圧の気体冷媒となる、気体冷媒は第２配管を通り、三方弁９２に中温の気体冷媒が流れる。気体冷媒は四方弁を介して、圧縮機に流入する。すなわち、通常の冷房運転時においては、基本的には二方弁の温度は三方弁の温度よりも低くなる。
通常の暖房運転時には圧縮機から吐出された高温高圧の冷媒は、四方弁を介して、三方弁を通る。すなわち、三方弁には、高温高圧の気体冷媒が流れる。三方弁を通った冷媒は、第２配管を通り、室内熱交換器に流入する。室内熱交換器にて放熱し、中温高圧（通常、室内熱交換器に流入する気体冷媒よりも低温）の液冷媒となり、第１配管を通って、二方弁に流入する。すなわち、二方弁には低温の液体冷媒が流れる。その後、膨張弁にて、低温低圧の液冷媒となり、室外熱交換器に流入する。室外熱交換器にて吸熱し、中温低圧の気体冷媒となり、四方弁を介して、圧縮機に流入する。すなわち、通常の暖房運転時においては、基本的には二方弁の温度は三方弁の温度よりも低くなる。
すなわち、通常の冷房運転時、通常の暖房運転時いずれにおいても、基本的には二方弁を流れる冷媒の温度は、三方弁を流れる冷媒の温度よりも低くなる。
そのため、二方弁９１と三方弁９２との間で取付部材７０を介して熱交換（熱伝導）が生じるが、本発明における取付部材９０はこの熱交換を抑制するものとして設けられている。
【００１９】
＜ファン支持部材（モータアングル）および弧状部材＞
ファン支持部材７０は、板形の金属プレートを型抜きし、かつ上端部および下端部等を折り曲げて所定強度を有するように形成されており、その上端部および下端部が支持板１９、底板１１にそれぞれ連結されている。
【００２０】
また、ファン支持部材７０は、上部および下部に略長方形の通風孔７０ａ、７０ｂを有している。そして、ファン３０のプロペラ３０ｂが水平軸心Ｐ（図４参照）を中心として回転可能なように、ファン支持部材７０の上下の通風孔７０ａ、７０ｂの間の中間部７０ｃの前面（前板１４側）にモータ３０ａが固定されている。
【００２１】
弧状部材８０は、回転するファン３０のプロペラファン３０ｂの風切り音を低減する部材であり、回転するプロペラファン３０ｂの羽根部３０ｂ1の鋭角な先端部３０ｂ11である近接部分の回転軌道Ｃ（図２）と同心の弧を含む形状に形成されている。なお、弧状部材８０によって、風切り音が均一化されることが最も好ましい。
【００２２】
実施形態１の場合、図２と図３に示すように、弧状部材８０は羽根部３０ｂ1の回転方向（矢印Ａ方向）に切れ目のない円環状であって、プロペラファン３０ｂの羽根部３０ｂ1の径方向におけるファン支持部材７０と最も近接する近接部分（本実施の形態では先端部３０ｂ11）の回転軌道Ｃの直径Ｄに対して大きい外径および小さい内径を有するサイズに形成されている。
【００２３】
この円環状の弧状部材８０は、例えば、金属板を円環状に打ち抜き、打ち抜いた円環状帯板材の内外周縁を折り曲げて強度を持たせるように形成される。あるいは、樹脂を円環状に射出形成して弧状部材８０を形成してもよい。
【００２４】
回転軌道Ｃの直径Ｄが４２０〜４４０ｍｍ程度の場合、弧状部材８０の外径は回転軌道Ｃの直径Ｄよりも５〜２０ｍｍ程度大きく、弧状部材８０の内径は回転軌道Ｃの直径Ｄよりも５〜２０ｍｍ程度小さく設定することができる。すなわち、弧状部材８０の幅Ｗは１０〜４０ｍｍ程度に設定することができ、２０〜３０ｍｍ程度が好ましい。なお、弧状部材８０の幅Ｗは前記の範囲に限定されるものではなく、回転する羽根部３０ｂ1の先端部３０ｂ11（丸みを帯びた鋭角部分）が正面から視て弧状部材８０と十分に重なる程度の幅であればよい。
【００２５】
円環状の弧状部材８０は、その中心がプロペラファン３０ｂの回転中心（水平軸心Ｐ）と一致するようにファン支持部材７０に取り付けられる。例えば、フアン支持部材７０の前面における上部の通風孔７０ａの両側および下部の通風孔７０ｂの両側に弧状部材８０をビス７１にて固定する。
【００２６】
このようにファン支持部材７０に弧状部材８０が取り付けられることにより、図４に示すように、羽根部３０ｂ1の先端部３０ｂ11（近接部分）と弧状部材８０との間が間隔Ｓ1となる。これによって、後述する風切り音の均一化を効果的に行うことができる。なお、図４において、符号Ｓ2は羽根部３０ｂ1の先端部３０ｂ11（近接部分）とファン支持部材７０との間隔を示し、符号Ｔは弧状部材８０の厚さを示している。
【００２７】
回転するプロペラファン３０ｂの各羽根部３０ｂ1の先端部３０ｂ11（近接部分）の回転軌道と重なるように円環状の弧状部材８０をプロペラ３０ｂの裏側に設けることにより、各羽根部３０ｂ1の先端部３０ｂ11（近接部分）が弧状部材８０に間隔Ｓ1をもって常に近接した状態で回転することが可能となる。
【００２８】
この結果、従来の課題、すなわち、各羽根部３０ｂ1の先端部３０ｂ11（近接部分）が、ファン支持部材７０と近接した状態から離間する状態に移るとき、およびファン支持部材７０と離間した状態から近接する状態に移るときに生じていた「パタパタ」といった風切り音の強弱が、認識できない程度に均一化され（目立たなくなり）、耳障りな風切り音が抑制される。
【００２９】
（実施形態２）
図５は実施形態２の室外機のプロペラファンを取り外した状態を示す正面図である。なお、図５において、図３中の要素と同様の要素には同一の符号を付している。
実施形態２の室外機は、弧状部材の形状および数が実施形態１とは異なる以外は、実施形態１と同様である。以下、実施形態２における実施形態１とは異なる点を主に説明する。
【００３０】
実施形態２の場合、弧状部材１８０が半円環状に形成されている。そして、一対の半円環状の弧状部材１８０がそれぞれファン３０（図２参照）の各羽根部３０ｂ1の先端部３０ｂ11（近傍部分）の回転軌道Ｃと同心でありかつ互いに両端部１８０ａを対向するように配置されている。
【００３１】
より詳しくは、一対の半円環状の弧状部材１８０によって回転軌道Ｃと重なる円環形状を形成するよう、一対の弧状部材１８０をファン支持部材７０の前面にビス７１にて固定している。これにより、実施形態１と同様に、各羽根部３０ｂ1の先端部３０ｂ11（近傍部分）と各弧状部材１８０との間が間隔Ｓ1となる（図４参照）。
【００３２】
なお、一対の弧状部材１８０の両端部１８０ａは互いに当接し、これらの当接部分がぐらつかないようにテーピングしてもよい。あるいは、各端部１８０ａに厚み方向の切欠き部および孔部を設け、切欠き部同士を重ね、切欠き部同士の重なった孔部にボルトを通しナットにて締め付けて連結するようにしてもよい。
【００３３】
このように一対の半円環状の弧状部材１８０を設けることによっても、実施形態１と同様に風切り音の強弱を均一化して抑制することができる。それに加え、金属板を半円環状に打ち抜いて弧状部材を形成する場合に、１枚の金属板中に複数の半円環形状を重ね合わせるように密に配置する打ち抜き方とすることにより低コスト化することができる。
【００３４】
（実施形態３）
図６は実施形態３の室外機のプロペラファンを取り外した状態を示す正面図である。なお、図６において、図３中の要素と同様の要素には同一の符号を付している。
実施形態３の室外機も、弧状部材の形状および数が実施形態１とは異なる以外は、実施形態１と同様である。以下、実施形態３における実施形態１とは異なる点を主に説明する。
【００３５】
実施形態３の場合、弧状部材２８０が半円未満の円弧状に形成されている。そして、一対の円弧状の弧状部材２８０がそれぞれファン３０（図２参照）の各羽根部３０ｂ1の先端部３０ｂ11（近傍部分）の回転軌道Ｃと同心でありかつ互いに両端部２８０ａを対向するように配置されている。
【００３６】
より詳しくは、一対の円弧状の弧状部材２８０によって回転軌道Ｃと重なる円環形状の大部分を形成するよう、一対の弧状部材２８０をファン支持部材７０の前面にビス７１にて固定している。これにより、実施形態１と同様に、各羽根部３０ｂ1の先端部３０ｂ11（近傍部分）と各弧状部材２８０との間が間隔Ｓ1となる（図４参照）。
なお、この場合、一対の弧状部材２８０の両端部２８０ａがファン支持部材７０にビス７１にて固定され、一方と他方の弧状部材２８０の対向する端部２８０ａ同士の間に隙間が形成されることとなる。
【００３７】
このように一対の円弧状の弧状部材２８０を設けることによっても、風切り音の強弱をある程度均一化することができる。それに加え、金属板を円弧状に打ち抜いて弧状部材を形成する場合に、１枚の金属板中に複数の円弧形状を重ね合わせるように密に配置する打ち抜き方とすることにより低コスト化することができる。
【００３８】
（実施形態４）
図７は実施形態４の室外機のプロペラファンを取り外した状態を示す正面図である。なお、図７において、図３中の要素と同様の要素には同一の符号を付している。
実施形態４の室外機は、ファン支持部材１７０の上下の通風孔の形状が実施形態３とは異なる以外は、実施形態３と同様である。以下、実施形態４における実施形態３とは異なる点を主に説明する。
【００３９】
実施形態４の場合、実施形態３と同様の一対の円弧状の弧状部材２８０がファン支持部材１７０の前面にビス７１にて固定される。
一方、ファン支持部材１７０は、対向する一対の円弧状の弧状部材２８０の間に配置され、ファン３０（図２参照）の各羽根部３０ｂ1の先端部３０ｂ11（近傍部分）の回転軌道Ｃと同心の弧状部分１７１、１７２が設けられる。
【００４０】
この場合、ファン支持部材１７０の作製時に、上の弧状部分１７１および下の弧状部分１７２を残すようにそれらの上下位置に通風孔１７０ａ1、１７０ａ2、１７０ｂ1、１７０ｂ2が打ち抜き形成される。なお、ファン支持部材１７０の各弧状部分１７１、１７２の幅は、各弧状部材２８０の幅と同等に設定することができる。
【００４１】
ファン支持部材１７０の上下の通風孔の位置に設けられた弧状部分１７１、１７２と、ファン支持部材１７０に取り付けられた一対の円弧状の弧状部材２８０とは、ファン３０（図２参照）の各羽根部３０ｂ1の先端部３０ｂ11（近傍部分）の回転軌道Ｃと連続状に重なって配置される。
【００４２】
これにより、実施形態３（図６）で説明した一対の円弧状の弧状部材２８０の端部２８０ａ間の隙間が無くなるため、風切り音の強弱（音量および音の高低等を含む）を効果的に均一化して、耳障りな風切り音の発生を効果的に抑制することができる。
【００４３】
（実施形態５）
実施形態３（図６）ではフアン支持部材７０の前面に円弧状の弧状部材２８０の両端部７１を固定した場合を例示したが、円弧状の弧状部材２８０の両端部７１をファン支持部材７０の左右側面に固定して、円弧状の弧状部材２８０の前面がファン支持部材７０の前面と略同一面上に配置されるようにしてもよい。このようにすれば、羽根部３０ｂ1の先端部３０ｂ11（近接部分）と弧状部材２８０との間隔Ｓ1が、羽根部３０ｂ1の先端部３０ｂ11（近接部分）とファン支持部材７０との間隔Ｓ2に略等しく設定される（図４参照）。
このように間隔Ｓ1が間隔Ｓ2と略等しく設定されること、すなわち、間隔Ｓ1と間隔Ｓ2とが均一化されることにより、風切り音の均一化を効果的に行うことができる。
【００４４】
（実施形態６）
実施形態４（図７）ではフアン支持部材１７０の前面に円弧状の弧状部材２８０の両端部７１を固定した場合を例示したが、円弧状の弧状部材２８０の両端部７１をファン支持部材７０の左右側面に固定して、円弧状の弧状部材２８０の前面がファン支持部材１７０の前面と略同一面上に配置されるようにしてもよい。
このようにすれば、羽根部３０ｂ1の先端部３０ｂ11（近接部分）と上下の弧状部分１７１、１７２との間隔が、羽根部３０ｂ1の先端部３０ｂ11（近接部分）とファン支持部材１７０との間隔Ｓ2に略等しく設定されていることに加えて、羽根部３０ｂ1の先端部３０ｂ11（近接部分）と弧状部材２８０との間隔Ｓ1が、羽根部３０ｂ1の先端部３０ｂ11（近接部分）とファン支持部材１７０との間隔Ｓ2に略等しく設定される（図４参照）。
このように先端部３０ｂ11と上下の弧状部分１７１、１７２との間隔と間隔Ｓ1が間隔Ｓ2と略等しく設定されること、すなわち、先端部３０ｂ11と上下の弧状部分１７１、１７２との間隔と間隔Ｓ1と間隔Ｓ2とが均一化されることにより、風切り音の均一化を効果的に行うことができる。
【００４５】
（実施形態７）
実施形態１~６は、弧状部材をファン支持部材に固定する構成であったが、弧状部材をファン支持部材と一体成形してもよい。すなわち、１枚の板形の金属プレートを型抜き、プレスして、ファン支持部材と弧状部材とを一体とすることができる。このようにすれば、羽根部３０ｂ1の先端部３０ｂ11（近接部分）と弧状部材８０との間隔Ｓ1が、羽根部３０ｂ1の先端部３０ｂ11（近接部分）とファン支持部材７０との間隔Ｓ2に略等しく設定される。
このように間隔Ｓ1が間隔Ｓ2と略等しく設定されること、すなわち、間隔Ｓ1と間隔Ｓ2とが均一化されることにより、風切り音の均一化を効果的に行うことができる。
【００４６】
（実施形態８）
実施形態１~７においては、弧状部材がファン支持部材に直接固定されたり、弧状部材とファン支持部材とが一体成形された構成であったが、弧状部材を保持する弧状部材用の保持部材を設けるようにしてもよい。具体的には、ファン支持部材の前面と弧状部材の前面とが面一になるようにした状態で保持部材により、底板またはファン支持部材に固定するようにする。
このようにすれば、羽根部３０ｂ1の先端部３０ｂ11（近接部分）と弧状部材８０との間隔Ｓ1が、羽根部３０ｂ1の先端部３０ｂ11（近接部分）とファン支持部材７０との間隔Ｓ2に略等しく設定される。
このように間隔Ｓ1が間隔Ｓ2と略等しく設定されること、すなわち、間隔Ｓ1と間隔Ｓ2とが均一化されることにより、風切り音の均一化を効果的に行うことができる。
【産業上の利用可能性】
【００４７】
なお、実施形態１~８においては、セパレート型空気調和機の室外機を用いて説明したが、ウインドウ型空気調和機の室外側装置や、ヒートポンプ式給湯器の室外機に本発明を用いてもよい。あるいは、プロペラファンを有する室内機に本発明を用いてもよい。
【００４８】
（まとめ）
本発明の空気調和機は、ファンと、前記ファンを支持するファン支持部材と、弧状部材とを備え、
前記ファンは、羽根部を有し、
前記弧状部材は、前記羽根部が径方向において前記ファン支持部材と最も近接する近接部分の回転軌道と同心の弧を含む形状に形成され、
前記羽根部の前記近接部分と前記弧状部材との間隔が、略等しく設定される。
【００４９】
本発明の空気調和機は、次のように構成されてもよく、それらが適宜組み合わされてもよい。
【００５０】
（１）前記弧状部材が、前記ファン支持部材に取り付けられてもよい。
この構成によれば、弧状部材用の支持部材が不要となると共に、弧状部材用の支持部材によって部品点数が増加して組み立て工数およびコストが増加することもない。
【００５１】
（２）前記弧状部材が前記羽根部の回転方向に切れ目のない円環状に形成されてもよい。
この構成によれば、ファン回転時は羽根部の近接部分が弧状部材に沿って回転する状態が常に維持されるため、羽根部の近接部分がファン支持部材に対して近接から離間へ移行する状態および離間から近接へ移行する状態が無くなる。この結果、風切り音の強弱（音量および音の高低等を含む）を効果的に均一化して、耳障りな風切り音の発生を効果的に抑制することができる。
【００５２】
（３）前記弧状部材が半円環状に形成され、一対の半円環状の前記弧状部材がそれぞれ前記回転軌道と同心でありかつ互いに両端部を対向するように配置されてもよい。
この構成によれば、ファン回転時は羽根部の近接部分が弧状部材に沿って回転する状態を常に維持することが可能となるため、羽根部の近接部分がファン支持部材に対して近接から離間へ移行する状態および離間から近接へ移行する状態を無くすことができる。この結果、風切り音の強弱（音量および音の高低等を含む）を効果的に均一化して、耳障りな風切り音の発生を効果的に抑制することができる。それに加え、金属板を半円環状に打ち抜いて弧状部材を形成する場合に、１枚の金属板中に複数の半円環形状を重ね合わせるように密に配置する打ち抜き方とすることにより低コスト化することができる。
【００５３】
（４）前記弧状部材が半円未満の円弧状に形成され、一対の円弧状の前記弧状部材がそれぞれ前記回転軌道と同心でありかつ互いに両端部を対向するように配置されてもよい。
この構成によれば、ファン回転時は羽根部の近接部分が弧状部材に沿って回転する状態を概ね維持することが可能となるため、羽根部の近接部分がファン支持部材に対して近接から離間へ移行する状態および離間から近接へ移行する状態を減少させることができる。この結果、風切り音の強弱（音量および音の高低等を含む）を均一化して、耳障りな風切り音の発生を抑制することができる。それに加え、金属板を円弧状に打ち抜いて弧状部材を形成する場合に、１枚の金属板中に複数の円弧状を重ね合わせるように密に配置する打ち抜き方とすることにより低コスト化することができる。
【００５４】
（５）前記ファン支持部材が、対向する前記一対の円弧状の弧状部材の間に配置される前記回転軌道と同心の弧状部分を有してもよい。
この構成によれば、一対の円弧状の弧状部材を用いた場合でも、羽根部の近接部分がファン支持部材に対して近接から離間へ移行する状態および離間から近接へ移行する状態を無くすことができ、風切り音の強弱（音量および音の高低等を含む）を効果的に均一化して、耳障りな風切り音の発生を効果的に抑制することができる。
【００５５】
（６）前記ファンは、前記軸を中心に対称に配置された二枚の羽根部と、前記二枚の羽根部を連結して前記軸に固定される連結部とを有するプロペラを含んでなり、
前記羽根部は前記近接部分に鋭角な先端部を有してもよい。
一般に、ファンにおけるプロペラの羽根部の枚数が多いほど隣接する二枚の羽根部間のピッチは狭くなるため、本発明の課題である風切り音の強弱が均一化されやすくなる傾向にあるが、近年、ファン効率、省エネ等に有利であることから、羽根部のファン支持部材との近接部分に鋭角な先端部を有する二枚羽根のプロペラが主流となりつつある。この二枚羽根のプロペラの場合、羽根部間のピッチが広くなるため風切り音の強弱の均一化には不利となるが、本発明の室外機では前記構成の弧状部材を備えるため、二枚羽根のメリットを活かしつつ風切り音を抑制することが可能となる。
【００５６】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００５７】
１  室外機
２０  熱交換器
３０  ファン
３０ａ1  出力軸
３０ｂ  プロペラ
３０ｂ1  羽根部
３０ｂ11  先端部（近接部分）
３０ｂ2  連結部
７０、１７０  ファン支持部材
８０、１８０、２８０  弧状部材
１７１、１７２  弧状部分
１８０ａ、２８０ａ  端部
Ｃ  回転軌道
Ｓ1、Ｓ2  間隔
【図１】
2019078453.tif 000003
【図２】
2019078453.tif 000004
【図３】
2019078453.tif 000005
【図４】
2019078453.tif 000006
【図５】
2019078453.tif 000007
【図６】
2019078453.tif 000008
【図７】
2019078453.tif 000009